(57)【要約】【課題】　アクティブマトリックス型有機ＥＬパネルに対するドライバの実装面積を低減でき、有機ＥＬ素子の輝度を向上させるアクティブマトリックス型有機ＥＬパネルの有機ＥＬ駆動回路および有機ＥＬ表示装置を提供することにある。【解決手段】　この発明は、ＲＧＢ切換信号を受けてＲ，Ｇ，Ｂのそれぞれに対応する駆動電流を所定の順序で発生する駆動電流発生回路と、第１、第２，第３の出力端子を有し前記駆動電流とＲＧＢ切換信号とを受けてＲＧＢ切換信号に応じて所定の順序で第１、第２，第３の出力端子の１つを選択し、前記駆動電流に応じてＲ，Ｇ，Ｂのそれぞれのピクセル回路のコンデンサを充電するための電流を発生して出力端子に出力する電流切換回路とを備えるものである。【選択図】　　図１
2004094232.tif 000002
【特許請求の範囲】
【請求項１】
　有機ＥＬ素子とこの有機ＥＬ素子の駆動電流の電流値に応じた電圧値を記憶するコンデンサと前記電圧値に応じて前記有機ＥＬ素子に前記駆動電流を出力するためのトランジスタとを有するピクセル回路がＲ，Ｇ，Ｂの表示色のそれぞれに対応して設けられたアクティブマトリックス型有機ＥＬパネルを電流駆動するアクティブマトリックス型有機ＥＬパネルの駆動回路において、
　ＲＧＢ切換信号を受けて前記Ｒ，Ｇ，Ｂのそれぞれに対応する駆動電流を所定の順序で発生する駆動電流発生回路と、
　第１、第２，第３の出力端子を有し前記駆動電流と前記ＲＧＢ切換信号とを受けて前記ＲＧＢ切換信号に応じて前記所定の順序で前記第１、第２，第３の出力端子の１つを選択し、前記駆動電流に応じて前記Ｒ，Ｇ，Ｂのそれぞれの前記ピクセル回路の前記コンデンサを充電するための電流を発生して前記出力端子に出力する電流切換回路とを備えるアクティブマトリックス型有機ＥＬパネルの駆動回路。
【請求項２】
　前記電流切換回路は、前記Ｒ，Ｇ，Ｂに対応するそれぞれの前記駆動電流をそれぞれに受ける前記Ｒ，Ｇ，Ｂに対応して設けられた第１，第２，第３の電流切換回路を有し、前記ＲＧＢ切換信号は、前記所定の順序で発生する第１，第２，第３の制御信号からなり、前記第１の電流切換回路は、前記第１の制御信号を受けて電流切換動作をして前記駆動電流発生回路から受けた前記駆動電流に対応する電流を前記第１の出力端子に前記充電電流として出力し、前記第２の電流切換回路は、前記第２の制御信号を受けて電流切換動作をして前記駆動電流発生回路から受けた前記駆動電流に対応する電流を前記第２の出力端子に前記充電電流として出力し、前記第３の電流切換回路は、前記第３の制御信号を受けて電流切換動作をして前記駆動電流発生回路から受けた前記駆動電流に対応する電流を前記第３の出力端子に前記充電電流として出力する請求項１記載のアクティブマトリックス型有機ＥＬパネルの駆動回路。
【請求項３】
　前記ＲＧＢ切換信号は、前記コンデンサに前記電圧値を記憶するための書込期間に発生する請求項２記載のアクティブマトリックス型有機ＥＬパネルの駆動回路。
【請求項４】
　前記コンデンサを充電するための電流は、前記ピクセル回路から前記選択された出力端子へ引き込む電流であり、前記駆動電流発生回路と前記電流切換回路とからなる駆動回路が前記Ｒ，Ｇ，Ｂの各１画素に共通に１個、Ｒ，Ｇ，Ｂのそれぞれの水平走査方向の画素数に対応する数設けられている請求項３記載のアクティブマトリックス型有機ＥＬパネルの駆動回路。
【請求項５】
　前記駆動電流発生回路は、前記駆動電流を発生するためのデータを前記Ｒ，Ｇ，Ｂに対応して記憶するレジスタと、このレジスタから前記第１，第２，第３の制御信号に応じて前記Ｒ，Ｇ，Ｂに対応するそれぞれのデータを受け、受けたデータをＤ／Ａ変換して前記所定の順序で前記駆動電流を発生するＤ／Ａ変換回路とを有し、前記第１，第２，第３の電流切換回路は、それぞれデータ電極を介して前記ピクセル回路に接続される請求項３記載のアクティブマトリックス型有機ＥＬパネルの駆動回路。
【請求項６】
　前記第１，第２、第３の電流切換回路は、それぞれ第１のカレントミラー回路とこの第１のカレントミラーの入力側トランジスタに並列に設けられた第１のトランジスタとを有し、前記Ｄ／Ａ変換回路から送出された前記駆動電流を前記入力側トランジスタと前記第１トランジスタとに受け、前記第１のトランジスタのＯＮ／ＯＦＦに応じて前記入力側トランジスタと前記第１のトランジスタとの間で電流切換を行う請求項５記載のアクティブマトリックス型有機ＥＬパネルの駆動回路。
【請求項７】
　さらに、データ選択回路を有し、このデータ選択回路は、前記第１，第２，第３の制御信号に応じて前記レジスタから前記Ｒ，Ｇ，Ｂに対応するそれぞれのデータを選択して前記Ｄ／Ａ変換回路に送出し、前記第１，第２、第３の電流切換回路は、それぞれ前記第１，第２，第３の制御信号を受けて前記第１のトランジスタをＯＮあるいはＯＦＦにする請求項６記載のアクティブマトリックス型有機ＥＬパネルの駆動回路。
【請求項８】
　前記電流切換回路は、さらに入力側トランジスタに対して前記Ｒ，Ｇ，Ｂに対応する出力トランジスタをそれぞれ有する第２のカレントミラー回路を有し、この第２のカレントミラー回路は、前記入力側トランジスタに前記Ｄ／Ａ変換回路から前記駆動電流を受けてそれぞれの前記出力トランジスタを介して前記第１，第２、第３の電流切換回路のそれぞれの第１のカレントミラー回路にそれぞれ前記駆動電流を送出する請求項７記載のアクティブマトリックス型有機ＥＬパネルの駆動回路。
【請求項９】
　さらに、前記第１，第２，第３の制御信号を発生する切換制御回路を有し、前記コンデンサを充電するための電流が前記水平走査方向の画素数分、同時に生成される請求項６記載のアクティブマトリックス型有機ＥＬパネルの駆動回路。
【請求項１０】
　さらに、水平走査の対象となる多数の前記出力端子全体をｍ分割（ｍは２以上の整数）して前記書込期間においてｍ回の書込みを行う請求項６記載のアクティブマトリックス型有機ＥＬパネルの駆動回路。
【請求項１１】
　前記電流切換回路は、前記ＲＧＢ切換信号に応じて前記所定の順序で前記Ｒ，Ｇ，Ｂの前記駆動電流の１つと前記前記第１、第２，第３の出力端子の１つを所定の順序で選択するものであり、前記駆動電流に応じて前記Ｒ，Ｇ，Ｂのそれぞれの前記ピクセル回路の前記コンデンサを充電するための電流を発生して選択された前記出力端子に出力する請求項１記載のアクティブマトリックス型有機ＥＬパネルの駆動回路。
【請求項１２】
　前記電流切換回路は、前記Ｒ，Ｇ，Ｂに対応するそれぞれの前記駆動電流をそれぞれに受ける前記Ｒ，Ｇ，Ｂに対応して設けられた第１，第２，第３の電流切換回路を有し、前記ＲＧＢ切換信号は、前記所定の順序で発生する第１，第２，第３の制御信号からなり、前記第１の電流切換回路は、前記第１の制御信号を受けて電流切換動作をして前記駆動電流発生回路から受けた前記駆動電流に対応する電流を前記第１の出力端子に前記充電電流として出力し、前記第２の電流切換回路は、前記第２の制御信号を受けて電流切換動作をして前記駆動電流発生回路から受けた前記駆動電流に対応する電流を前記第２の出力端子に前記充電電流として出力し、前記第３の電流切換回路は、前記第３の制御信号を受けて電流切換動作をして前記駆動電流発生回路から受けた前記駆動電流に対応する電流を前記第３の出力端子に前記充電電流として出力する請求項１１記載のアクティブマトリックス型有機ＥＬパネルの駆動回路。
【請求項１３】
　前記ＲＧＢ切換信号は、前記コンデンサに前記電圧値を記憶するための書込期間に発生する請求項１２記載のアクティブマトリックス型有機ＥＬパネルの駆動回路。
【請求項１４】
　請求項１〜１３のいずれか１項に記載されたアクティブマトリックス型有機ＥＬパネルの駆動回路を有する有機ＥＬ表示装置。
【請求項１５】
　さらに前記有機ＥＬパネルとコントローラとを備え、このコントローラにより前記切換信号発生回路が制御される請求項１４記載の有機ＥＬ表示装置。
【発明の詳細な説明】
【技術分野】
【０００１】
　この発明は、アクティブマトリックス型有機ＥＬパネルの駆動回路および有機ＥＬ表示装置に関し、詳しくは、携帯電話機，ＰＨＳ等の装置におけるアクティブマトリックス型有機ＥＬパネルに対するドライバの実装面積を低減でき、有機ＥＬ素子の輝度を向上させることができるような高輝度カラー表示に適したアクティブマトリックス型の有機ＥＬ表示装置に関する。
【背景技術】
【０００２】
　有機ＥＬ表示装置は、自発光による高輝度表示が可能であることから、小画面での表示に適し、携帯電話機，ＰＨＳ、ＤＶＤプレーヤ、ＰＤＡ（携帯端末装置）等に搭載される次世代表示装置として現在注目されている。この有機ＥＬ表示装置には、液晶表示装置のように電圧駆動を行うと、輝度ばらつきが大きくなり、かつ、Ｒ（赤），Ｇ（緑），Ｂ（青）に感度差があることから制御が難しくなる問題点がある。
　そこで、最近では、電流駆動のドライバを用いた有機ＥＬ表示装置が提案されている。例えば、特開平１０−１１２３９１号などでは、電流駆動により輝度ばらつきの問題を解決する技術が記載されている。
【０００３】
　携帯電話機，ＰＨＳ用の有機ＥＬ表示装置の有機ＥＬ表示パネルでは、カラムラインの数が３９６個（１３２×３）の端子ピン、ローラインが１６２個の端子ピンを持つものが提案され、カラムライン、ローラインの端子ピンはこれ以上に増加する傾向にある。
　このような有機ＥＬ表示パネルの電流駆動回路の出力段は、アクディブマトリックス型でも単純マトリックス型のものでも端子ピン対応に電流源の駆動回路、例えば、カレントミラー回路による出力回路が設けられている。
【０００４】
　アクディブマトリックス型では、表示セル（画素）対応にコンデンサと電流駆動のトランジスタとからなるピクセル回路が設けられていて、コンデンサに記憶した電圧に応じてトランジスタを駆動し、このトランジスタを介して有機ＥＬ素子（以下ＯＥＬ素子）が電流駆動される。その駆動方式には、ＯＥＬ素子をＯＮ／ＯＦＦの２値で制御するデジタル駆動とＯＥＬ素子の駆動電流をアナログ入力データで制御するアナログ駆動とがある。デジタル駆動の場合には、ピクセル内にサブピクセルを設けて表示面積を制御したり、発光時間を時分割して駆動時間の相違により表示画素の階調を制御する。アナログ駆動の場合には電圧指定型（電圧プログラム方式）と電流指定型（電流プログラム方式）とがあって、電圧指定型の場合には各ピクセル回路のコンデンサの端子電圧を電圧信号により設定し、電流指定型の場合には前記コンデンサの端子電圧を電流信号により設定する。
　ところで、マトリックス状に配置したＥＬ素子を電流駆動し、かつ、ＥＬ素子の陽極と陰極をグランドに落としてリセットするＥＬ素子の駆動回路が特許文献１として公知である。また、ＤＣ−ＤＣコンバータを用いてＥＬ素子を低消費電力で電流駆動する技術が特許文献２として公知である。
【０００５】
【特許文献１】特開平９−２３２０７４号公報
【特許文献２】特開２００１−１４３８６７号公報
【発明の開示】
【発明が解決しようとする課題】
【０００６】
　ところで、単純マトリックス型の有機ＥＬ表示パネルの電流駆動回路は、容量性負荷となる特性を持つＯＥＬ素子を初期充電して早期に発光させ、輝度むらを抑えるためにピーク電流を持つ駆動電流が用いられる。この点、アクディブマトリックス型は、ピクセル回路のコンデンサに一旦駆動電流値に対応する電圧値を書込み、記憶しておいて、その後に記憶された電圧値に応じた駆動電流値を発生する。そのためアクディブマトリックス型のＯＥＬ素子は、ピーク電流による駆動は行われない。ＯＥＬ素子は、駆動電流値の書込み、そして発光という順序で駆動され、書込み期間が発光期間の手前に必要になる。その結果、アクディブマトリックス型は、ＯＥＬ素子を単純マトリックス型のように早期に発光させることができず、単純マトリックス型より発光期間が短くなる欠点がある。
　駆動電流値の書込みは、通常、数百ｐＦのピクセル回路のコンデンサを０．１μＡ〜１０μＡ程度の電流で充電することによるので、ピクセル回路のコンデンサへの書込み時間が走査期間全体のうちで１０％程度かそれ以上という比較的大きな割合を占める。その分発光期間が短くなって輝度が落ちる。特に、表示画素数が、例えば、ＶＧＡ，ＳＶＧＡ，ＸＧＡ等のように高密度になると、電流プログラム方式の回路では、限られた時間内でタイミング制御を行う必要があるために、前記の欠点が問題になる。
【０００７】
　さらに、アクディブマトリックス型のＯＥＬ素子を有機ＥＬ表示パネルの外部にドライブ回路を設けて電流駆動する場合には、高輝度カラー表示でかつＶＧＡ，ＳＶＧＡ，ＸＧＡ等のように高密度になると、Ｒ，Ｇ，Ｂそれぞれに対応して各駆動回路が有機ＥＬ表示パネルの周辺部に多数設けられるので、そのドライバの実装面積が大きくなる欠点がある。
　ドライバの実装面積を小さくするために、液晶表示装置などにあっては、Ｒ，Ｇ，Ｂの３画素に対応して１つの駆動回路を設けて時分割でＲ，Ｇ，Ｂのピクセル回路を駆動するものがある。これは、アナログスイッチ（トランスミッションゲート）を介して時分割駆動でＲ，Ｇ，Ｂの３画素の１つを選択して電圧駆動する。このアナログスイッチ方式をアクディブマトリックス型のＯＥＬ素子の電流駆動に適用しても、アナログスイッチでの電圧降下が大きくなり、精度の高い駆動電流を生成できない問題がある。
　この発明の目的は、このような従来技術の問題点を解決するものであって、アクティブマトリックス型有機ＥＬパネルに対するドライバの実装面積を低減でき、ＯＥＬ素子の輝度を向上させることができるような高輝度カラー表示に適したアクティブマトリックス型有機ＥＬパネルの駆動回路および有機ＥＬ表示装置を提供することにある。
【課題を解決するための手段】
【０００８】
　このような目的を達成するためのこの発明のアクティブマトリックス型有機ＥＬパネルの駆動回路および有機ＥＬ表示装置の特徴は、ＲＧＢ切換信号を受けてＲ，Ｇ，Ｂのそれぞれに対応する駆動電流を所定の順序で発生する駆動電流発生回路と、第１、第２，第３の出力端子を有し前記駆動電流とＲＧＢ切換信号とを受けてＲＧＢ切換信号に応じて所定の順序で第１、第２，第３の出力端子の１つを選択し、前記駆動電流に応じてＲ，Ｇ，Ｂのそれぞれのピクセル回路のコンデンサを充電するための電流を発生して出力端子に出力する電流切換回路とを備えるものである。
【発明の効果】
【０００９】
　このように、この発明にあっては、電流切換回路が１つの駆動電流発生回路から駆動電流を受けて駆動電流値を記憶するＲ，Ｇ，Ｂの各ピクセル回路のコンデンサへの充電電流をＲＧＢ切換信号に応じて時分割で発生するようにしているので、電流駆動回路が実質的に１／３で済む。しかも、電流切換回路により充電電流を発生しているので、アナログスイッチ（トランスミッションゲート）のような電圧降下が発生しないで済み、精度の高い電流値の充電電流を発生することができる。
　さらに、Ｒ，Ｇ，Ｂ個々に駆動電流値の書込み、発光という順序を採ることなく、Ｒ，Ｇ，Ｂの駆動電流値の書込みを順次連続的に行うことができるので、Ｒ，Ｇ，Ｂの発光期間を重ね合わせることができ、Ｒ，Ｇ，ＢのＯＥＬ素子の発光駆動期間を長く採ることができる。また、Ｒ，Ｇ，Ｂをまとめて高速に書込むことが可能になり、Ｒ，Ｇ，Ｂのトータル書込み時間を短くすることができる。その分、発光期間を長くすることが可能になる。
　その結果、この発明は、有機ＥＬパネルに対するドライバの実装面積を低減でき、ＯＥＬ素子の輝度を向上させることができるアクティブマトリックス型有機ＥＬパネルの駆動回路および有機ＥＬ表示装置を実現できる。
【発明を実施するための最良の形態】
【００１０】
　図１は、この発明のアクティブマトリックス型の有機ＥＬ表示装置を適用した一実施例のブロック図、図２は、Ｒ・Ｇ・Ｂ電流切換出力回路におけるＲ，Ｇ，Ｂの駆動タイミングの説明図、図３は、Ｒ・Ｇ・Ｂ電流切換出力回路におけるＲ，Ｇ，Ｂの駆動電流値の書込みを水平走査の１ラインに対して２度行う駆動タイミングの説明図、そして、図４は、図３における駆動タイミングを実施する切換回路の説明図である。
　図１において、１は、アクティブマトリックス型の有機ＥＬ表示装置の有機ＥＬパネルであって、データ電極ドライバ２と、Ｒ・Ｇ・Ｂ切換制御回路３、ピクセル回路４、コントロール回路５、ロー側走査回路６、そしてＭＰＵ７等により構成されている。
　なお、ピクセル回路４は、Ｘ，Ｙのマトリックス配線の各交点に対応して多数設けられているが、図では、Ｒ，Ｇ，Ｂそれぞれ１つを、ピクセル回路４G1，４R1，４B1とし、その内部回路を示してある。ピクセル回路４G2，４R2，４B2…は、水平方向のラインを構成するピクセル回路４G1，４R1，４B1に続くピクセル回路であるが、その内部回路は同様であるので省略してある。
　以下では、ピクセル回路４G1，４R1，４B1を中心に説明するが、水平方向のピクセル回路は、Ｒ，Ｇ，Ｂの水平方向の各表示画素に対応してそれぞれ設けられている。
【００１１】
　ＸG1，ＸR1，ＸB1，…は、Ｒ，Ｇ，Ｂそれぞれの水平方向（カラム方向）の表示画素対応にそれぞれ設けられたデータ線（あるいは各カラムピンに接続される線，以下同じ）の一部であって、そのうちＸG1，ＸR1，ＸB1が各ピクセル回路４G1，４R1，４B1に接続されているデータ線である。これらデータ線ＸG1，ＸR1，ＸB1には、それぞれのピクセル回路４G1，４R1，４B1のほかに垂直方向（ロー方向）に配置された多数のピクセル回路が共通に接続されている。なお、４ａは、各ピクセル回路に設けられたＯＥＬ素子である。
　データ電極ドライバ２は、Ｒ・Ｇ・Ｂ電流駆動回路１０-1，１０-2…を内蔵している。Ｒ・Ｇ・Ｂ電流駆動回路１０-1，１０-2…は、いわゆる有機ＥＬ駆動回路のカラムドライバ（水平走査方向のドライバ）であって、Ｒ，Ｇ，Ｂの３本のデータ線を単位としてＲ，Ｇ，Ｂの水平方向の各１画素からなる３画素単位に共通にそれぞれ設けられている。そこで、Ｒ・Ｇ・Ｂ電流駆動回路１０-1，１０-2…の数は、Ｒ，Ｇ，Ｂを合計した全データ線数の１／３分であり、それぞれは同一の構成である。言い換えれば、Ｒ，Ｇ，Ｂの各１画素に共通に１個、Ｒ，Ｇ，Ｂのそれぞれの水平走査方向の画素数に対応する数設けられている。
【００１２】
　そこで、ピクセル回路とＲ・Ｇ・Ｂ電流駆動回路の代表としてピクセル回路４G1，４R1，４B1とＲ・Ｇ・Ｂ電流駆動回路１０-1との関係について以下説明する。　各ピクセル回路４G1，４R1，４B1は、ＯＥＬ素子４ａの陽極側と電源ライン＋Ｖccとの間にソース−ドレインが接続された駆動用のＰチャネルのＭＯＳトランジスタＴｒと、このトランジスタＴｒのゲートとソース（電源ライン＋Ｖcc）との間に接続された駆動電流値を電圧値として記憶するコンデンサＣとからなり、各ピクセル回路４G1，４R1，４B1のトランジスタＴｒのゲートがＲ，Ｇ，Ｂの対応するそれぞれデータ線ＸG1，ＸR1，ＸB1にそれぞれ接続されている。
　データ線ＸG1，ＸR1，ＸB1は、入力端子ＩG1，ＩR1，ＩB1に接続され、入力端子ＩG1，ＩR1，ＩB1は、Ｒ・Ｇ・Ｂ電流切換出力回路１１のＧ，Ｒ，Ｂの各出力端子ＯG1，ＯR1，ＯB1に接続されている。
【００１３】
　水平方向の１ライン分のＯＥＬ素子４ａの陰極側は、ロー側走査回路６のスイッチ回路６ａにロー側ライン８を介して共通に接続されている。ロー側走査回路６は、水平方向１ライン分の各ピクセル回路のコンデンサＣに駆動電流値が書込まれた後に、その水平走査方向の１ラインのＯＥＬ素子４ａの陰極側が接続されたスイッチ回路６ａをＯＮにする。このことで、水平走査方向の１ライン分のＯＥＬ素子４ａがそれぞれのコンデンサＣに書込まれた電圧値により決定される電流値で同時駆動される。
　スイッチ回路６ａは、ロー側走査回路６において垂直方向の走査ライン数に対応して多数設けられていて、垂直走査に応じて手前のロー側ラインに接続されたスイッチ回路６ａがＯＦＦされ、現在走査の対象となるロー側ラインに接続されたスイッチ回路６ａがＯＮされることで、ロー側の走査（垂直走査）に対応してスイッチ回路６ａが順次ＯＮ／ＯＦＦされていく。
【００１４】
　Ｒ・Ｇ・Ｂ電流駆動回路１０-1は、Ｒ・Ｇ・Ｂ電流切換出力回路１１と駆動電流生成回路１２とからなる。Ｒ・Ｇ・Ｂ電流切換出力回路１１は、ＰチャネルのＭＯＳトランジスタＴr1，Ｔr2，Ｔr3，Ｔr4からなる入力段のカレントミラー回路１１ａと、これにより駆動される出力段の電流切換回路１１ｇ，１１ｒ，１１ｂとからなる。
　カレントミラー回路１１ａのトランジスタＴr1は、入力側トランジスタであり、トランジスタＴr2，Ｔr3，Ｔr4は、Ｒ，Ｇ，Ｂに対応して設けられた出力側トランジスタである。これらトランジスタのソース側は電源ライン＋Ｖccに接続され、入力側トランジスタＴr1のドレインは、Ｒ・Ｇ・Ｂ電流切換出力回路１１の入力端子ＩＮを介して駆動電流生成回路１２からの駆動電流を受けて駆動される。そして、カレントミラー回路１１ａは、出力側トランジスタＴr2，Ｔr3，Ｔr4のドレインに駆動電流と等しいミラー電流を発生して、Ｒ，Ｇ，Ｂに対応して設けられた、それぞれに対応する電流切換回路１１ｇ，１１ｒ，１１ｂに送出する。
【００１５】
　各電流切換回路１１ｇ，１１ｒ，１１ｂは、同一の構成であって、それぞれＮチャネルのＭＯＳトランジスタＴr5，Ｔr6からなるカレントミラー出力回路と、入力側トランジスタＴr5と並列に設けられたトランジスタＴr7とからなり、各トランジスタＴr5〜Ｔr7のソースは接地されている。なお、トランジスタＴr5とトランジスタＴr6のゲート幅比は、N：1（ただし、Ｎは２以上の正数）であり、Ｒ，Ｇ，Ｂの各出力端子ＯG1，ＯR1，ＯB1への出力電流は、ここで、１／Ｎにされる。これによりノイズが低減され、高い精度の出力電流を発生することができる。また、この電流切換回路は、入力側トランジスタＴr5とトランジスタＴr7とがドレインが共通に接続されて、これらトランジスタが共に駆動電流を受ける。トランジスタＴr7がＯＮしたときに、入力側トランジスタＴr5がＯＦＦとなり、入力側トランジスタＴr5に流される駆動電流がトランジスタＴr7に切換わり、トランジスタＴr7がＯＦＦしたときにはトランジスタＴr5がＯＮとなり、逆の電流切換が行われる。
【００１６】
　電流切換回路１１ｇは、そのトランジスタＴr5，Ｔr7の共通に接続されたドレインがカレントミラー回路１１ａのトランジスタＴr2のドレインに接続され、このトランジスタＴr2から駆動電流を受ける。電流切換回路１１ｇのトランジスタＴr6のドレインは、出力端子ＯG1に接続されていて、この端子ＯG1にＧに対応するピクセル回路４G1のコンデンサＣに充電電流（シンクする電流）を、入力端子ＩＮに入力されたそのときの駆動電流に応じて出力する。
　同様に、電流切換回路１１ｒは、そのトランジスタＴr5，Ｔr7の共通に接続されたドレインがカレントミラー回路１１ａのトランジスタＴr3のドレインに接続され、このトランジスタＴr3から駆動電流を受ける。電流切換回路１１ｒのトランジスタＴr6のドレインは、出力端子ＯR1に接続されていて、この端子にＲに対応するピクセル回路４R1のコンデンサＣに充電電流（シンクする電流）を、入力端子ＩＮに入力されたそのときの駆動電流に応じて出力する。
　さらに、電流切換回路１１ｂは、そのトランジスタＴr5，Ｔr7の共通に接続されたドレインがカレントミラー回路１１ａのトランジスタＴr4のドレインに接続され、このトランジスタＴr4から駆動電流を受ける。電流切換回路１１ｂのトランジスタＴr6のドレインは、出力端子ＯB1に接続されていて、この端子ＯB1にＢに対応するピクセル回路４B1のコンデンサＣに充電電流（シンクする電流）を、入力端子ＩＮに入力されたそのときの駆動電流に応じて出力する。
【００１７】
　電流切換回路１１ｇ，１１ｒ，１１ｂのそれぞれのトランジスタＴr7は、ゲートにＲ・Ｇ・Ｂ切換制御回路３からそれぞれ切換制御信号Ｓg，Ｓr，Ｓbをインバータ３g，３r，３b、制御ライン１３ｇ，１３ｒ，１３ｂを介して受ける。各電流切換回路１１ｇ，１１ｒ，１１ｂは、切換制御信号Ｓg，Ｓr，ＳbrがＨｉｇｈレベル（以下“Ｈ”）のときにはインバータによりトランジスタＴr7のゲートに“Ｌ”が加わるので、このトランジスタＴr7がＯＦＦし、Ｌｏｗレベル（以下“Ｌ”）のときに逆にトランジスタＴr7のゲートに“Ｈ”が加わるので、トランジスタＴr7がＯＮになる。
　そこで、各電流切換回路１１ｇ，１１ｒ，１１ｂは、切換制御信号Ｓg，Ｓr，Ｓbが“Ｌ”のときにトランジスタＴr7がＯＮして電流切換回路１１ｇ，１１ｒ，１１ｂのカレントミラー出力回路の入力側トランジスタＴr5に流れる電流がトランジスタＴr7に切換えられてトランジスタＴr5には電流が流れなくなり、トランジスタＴr5とカレントミラー接続された出力側トランジスタＴr6には出力電流が発生しない。逆に、切換制御信号Ｓg，Ｓr，Ｓbが“Ｈ”のときにトランジスタＴr7がＯＦＦして出力側トランジスタＴr6は充電電流を出力する。
【００１８】
　切換制御信号Ｓg，Ｓr，Ｓbは、図２に示すように、Ｒ，Ｇ，Ｂの駆動タイミングに応じて所定の順序で“Ｈ”になる制御信号であり、ここでは、Ｇ，Ｒ，Ｂ
の順で一定期間“Ｈ”になる。各電流切換回路１１ｇ，１１ｒ，１１ｂは、切換制御信号Ｓg，Ｓr，Ｓbがそれぞれ“Ｈ”になったときには電流切換回路１１ｇ，１１ｒ，１１ｂの出力側トランジスタＴr6に出力電流が現れ、それぞれが接続された出力端子に出力を発生する。この出力電流は、Ｒ，Ｇ，Ｂのそれぞれのピクセル回路のコンデンサＣに対する充電電流となる。
　ここで、切換制御信号Ｓg，Ｓr，Ｓbは、それぞれ制御ライン１３ｇ，１３ｒ，１３ｂを介して水平走査方向に配置された水平方向１ライン分の表示画素を構成するＧのピクセル回路、Ｒのピクセル回路、Ｂのピクセル回路に供給されるので、Ｒ，Ｇ，Ｂのピクセル回路のコンデンサＣへの駆動電流値の書込みは、水平１ライン分同時に行われる。なお、Ｒ・Ｇ・Ｂ切換制御回路３は、コントロール回路５により制御され、切換制御信号Ｓg，Ｓr，Ｓbを発生する。
【００１９】
　電流切換回路１１ｇ，１１ｒ，１１ｂの出力電流は、駆動電流生成回路１２からＲ・Ｇ・Ｂ電流切換出力回路１１の入力端子ＩＮに入力される駆動電流により決定される。駆動電流生成回路１２は、Ｄ／Ａ変換回路１２ａと基準電流発生回路１２ｂ、表示データレジスタ１２ｃ、データ選択回路１２ｄとからなる。
　Ｄ／Ａ変換回路１２ａは、基準電流発生回路１２ｂから基準電流Ｉrefを受けて駆動され、表示データレジスタ１２ｃから表示データを受けて基準電流Ｉrefに基づいて表示データ値に対応する駆動電流を生成する。生成した駆動電流を入力端子ＩＮに入力する。
　表示データレジスタ１２ｃは、Ｒ，Ｇ，Ｂのそれぞれに対応する記憶領域ＤR，ＤG，ＤBを有していて、それぞれのデータは、切換制御信号Ｓg，Ｓr，Ｓbをインバータ３g，３r，３bを介して受けるデータ選択回路１２ｄにより選択される。データ選択回路１２ｄは、切換制御信号Ｓg，Ｓr，Ｓbのいずれかが“Ｈ”のときに、“Ｈ”の制御信号に対応するＲ，Ｇ，Ｂのデータの１つを選択して、Ｄ／Ａ変換回路１２ａに送出する。
【００２０】
　そこで、駆動電流生成回路１２は、切換制御信号Ｓg，Ｓr，Ｓbのいずれかが“Ｈ”になったタイミング（データ選択回路１２ｄへの入力信号が“Ｌ”になったタイミング）に合わせてＲ，Ｇ，Ｂの表示データを選択してＤ／Ａ変換回路１２ａでＲ，Ｇ，Ｂの表示データに対応する駆動電流をそれぞれのタイミングに応じて生成して、生成した駆動電流をＲ・Ｇ・Ｂ電流切換出力回路１１の入力端子ＩＮに入力する。その結果、切換制御信号Ｓg，Ｓr，Ｓbのいずれかが“Ｈ”になるＲ，Ｇ，Ｂの駆動タイミングに応じてＲ，Ｇ，Ｂの出力端子ＯG1，ＯR1，ＯB1には、Ｒ，Ｇ，Ｂそれぞれの出力電流がそれぞれに発生する。
　なお、切換制御信号Ｓg，Ｓr，Ｓbがすべて“Ｌ”のときには、Ｄ／Ａ変換回路１２ａの入力値は“０”となり、Ｄ／Ａ変換回路１２ａで生成される駆動電流値は“０”となる。その結果、電流切換回路１１ｇ，１１ｒ，１１ｂで発生する電流も“０”になり、無駄な電力消費が実質的に発生しない。
【００２１】
　図２は、Ｒ・Ｇ・Ｂ電流切換出力回路におけるＲ，Ｇ，Ｂの駆動タイミングの説明図である。
　切換制御信号Ｓg，Ｓr，Ｓbは、図２（ａ），（ｂ），（ｃ）に示すタイミングでＧ，Ｒ，Ｂの順で順次コンデンサＣへの書込期間Ｔの間“Ｈ”になる。そこで、Ｇ，Ｒ，Ｂの順で時分割でそれぞれに水平方向の画素数分同時に充電電流が電流切換回路１１ｇ，１１ｒ，１１ｂ，…から画素対応にそれぞれ発生してピクセル回路４G1，４R1，４B1…のそれぞれのコンデンサＣに駆動電流値が電圧値として記憶される。次に、表示期間Ｄに入り、走査対象となっているロー側のスイッチ回路６ａがＯＮになり、図２（ｄ）に示すように、水平１ライン分のＲ，Ｇ，ＢのＯＥＬ素子４ａの発光駆動が行われ、各ピクセル回路４G1，４R1，４B1，４G2，４R2，４B2，…の水平１ライン分のＧ，Ｒ，ＢのＯＥＬ素子４ａが同時に発光する。なお、書込期間Ｔの手前には、ロー側走査のライン切換期間（斜線部分）がある。
【００２２】
　このように、水平走査１ライン分のＲ，Ｇ，Ｂの水平方向１ライン部の各コンデンサＣに駆動電流値が時分割で記憶されることにより、ピクセル回路４は、Ｒ，Ｇ，Ｂごとに設けられる駆動電流値の書込み期間Ｔと発光期間Ｄと切り離されるので高速に駆動電流値をコンデンサＣに記憶することができる。なお、ここでは、Ｇ，Ｒ，Ｂの各駆動電流値の書込期間はＴ／３であるが、Ｇ，Ｒ，Ｂのこれら期間は等しくなくてもよい。
　この実施例は、このように駆動電流値の書込みについて時分割書込み制御をすることで、具体的には、表示画素対応にＲ，Ｇ，Ｂに対してピクセル回路の電流駆動回路を時分割で切換え動作させることにより電流駆動回路を実質的に１／３に低減することができ、電流駆動回路の有機ＥＬパネルに対するドライバの実装面積を低減できる。
【００２３】
　なお、この発明は、ピクセル回路のＲ，Ｇ，Ｂの各コンデンサＣに駆動電流値を時分割で記憶する場合に、水平１ライン分同時ではなく、Ｒ，Ｇ，Ｂの表示画素単位で３個のピクセル回路ごとに順次駆動電流値を書込み、電圧値として記憶してＲ，Ｇ，Ｂの画素を同時に発光するようにしてもよい。このような場合でもこの発明は、表示画素単位でＲ，Ｇ，Ｂの書込みを順次連続的に行うことができるので、Ｒ，Ｇ，Ｂの発光期間を画素単位でまとめて長くすることができる。また、Ｒ，Ｇ，Ｂの駆動電流値の書込みを連続してできるので、Ｒ，Ｇ，Ｂそれぞれ個別に書込期間を設ける場合よりも書込み期間が短くなりかつ高速になる。これによっても、発光期間を長くできる。
　さらに、実施例は、水平走査１ライン分のＲ，Ｇ，Ｂの各コンデンサＣに駆動電流値を時分割で記憶しているが、この発明は、Ｒ，Ｇ，Ｂの各１画面分のピクセル回路のコンデンサＣに駆動電流値を順次時分割で書込んで、その後、Ｒ，Ｇ，Ｂの各１画面分を同時発光するような制御を行ってもよい。
　図２（ｅ）は、このような場合のｎ倍に書込み期間を採った駆動例である。
　Ｒ，Ｇ，Ｂを含めた１画面分のピクセル回路の総数がｎ個あるとすると、ｎ個のコンデンサＣの書込とｎ個のＯＥＬ素子の発光とを分離する。その結果、図２（ｅ）に示すように、書込期間Ｔは、ｎ×Ｔとなり、発光期間Ｄは、ｎ×Ｄとなる。
【００２４】
　図３は、Ｒ・Ｇ・Ｂ電流切換出力回路におけるＲ，Ｇ，Ｂの駆動電流値の書込みを水平走査の１ラインに対して２度行う駆動タイミングの例である。
　この実施例は、水平方向の走査ラインを前後２分割して水平走査ラインの前半分のＲ，Ｇ，Ｂのピクセル回路のコンデンサＣへの駆動電流値の書込みを書込期間Ｔのうちの前半で行う。そして、水平走査ラインの後半分のＲ，Ｇ，Ｂのピクセル回路のコンデンサＣへの駆動電流値の書込みを書込期間Ｔのうちの後半で行う。そのための切換回路を示したのが図４である。
【００２５】
　図４において、切換回路９の各切換スイッチは、各出力端子に対応して設けられていて、出力端子ＯG1〜ＯBiまでが水平１ラインの前半部分の出力端子に対応し、出力端子ＯGi+1〜ＯBnまでが水平１ラインの後半部分の出力端子に対応している。図３（ｅ）に示すように、書込期間Ｔの前半で“Ｌ”となっているパルスＰの期間には、図示するように、出力端子ＯG1〜ＯBiまでのスイッチがＯＮとなっていて、出力端子ＯG1〜ＯBiが入力端子ＩG1〜ＩＯBiにそれぞれ接続されている。このとき、後半部分の出力端子ＯGi+1〜ＯBnまでのスイッチはＯＦＦとなっていて、出力端子ＯGi+1〜ＯBnは入力端子ＩGi+1〜ＩBnに接続されない。書込期間Ｔの後半ではパルスＰが“Ｈ”となり、この期間では、スイッチのＯＮ／ＯＦＦが逆になり、出力端子ＯGi+1〜ＯBnが入力端子ＩGi+1〜ＩBnに接続され、出力端子ＯG1〜ＯBiは、入力端子ＩG1〜ＩＯBiに接続されない。
【００２６】
　この実施例では、図４に示す切換回路９が図１に追加される。Ｒ，Ｇ，Ｂの出力端子ＯG1，ＯR1，ＯB1…と入力端子ＩG1，ＩR1，ＩB1…との間に、図４に示す切換回路９を設ける。切換回路９は、書込期間Ｔのうちの前半のタイミングで水平１ラインの前半部分のＲ，Ｇ，Ｂの各ピクセル回路のコンデンサＣに水平１ラインの前半部分の各出力端子を接続し、書込期間Ｔのうちの後半のタイミングで水平１ラインの後半部分のＲ，Ｇ，Ｂの各ピクセル回路のコンデンサＣに水平１ラインの後半部分の各出力端子を接続する。この切換回路９は、図３（ｅ）に示す、書込期間Ｔの後半のタイミングで立上がるパルスＰをＲ・Ｇ・Ｂ切換制御回路３から受けて前記の接続切換を行う。
　一方、図３（ａ），（ｂ），（ｃ）に示すように、切換制御信号Ｓg，Ｓr，Ｓbの各信号は、それぞれが周期Ｔ／２でパルス幅Ｔ／６の“Ｈ”のパルスを書込期間Ｔの間に２回発生する。
　その結果、駆動タイミング全体は、図３（ｄ）に示すように、水平１ライン分のＲ，Ｇ，ＢのＯＥＬ素子４ａに対する駆動電流値の書込みが行われた後に発光駆動が行われ、各ピクセル回路４G1，４R1，４B1，４G2，４R2，４B2，…の水平１ライン分のＧ，Ｒ，ＢのＯＥＬ素子４ａが同時に発光する。
　なお、図４では、水平走査の対象となる前半側の出力端子と後半側の出力端子の２つに分けて書込期間Ｔにおいて２回の書込み行っているが、水平走査の対象となる多数の出力端子全体をｍ分割（ｍは２以上の整数）して書込期間Ｔにおいてｍ回の書込みを行ってもよいことはもちろんである。
【産業上の利用可能性】
【００２７】
　以上説明してきたが、実施例の電流切換回路は、Ｎチャネルの入力側トランジスタＴr5とＮチャネルのトランジスタＴr7とがドレインが共通に接続されて、これらトランジスタが共に駆動電流を受けるものであるが、この発明は、このような電流切換回路に限定されるものではない。例えば、Ｐチャネルのトランジスタのソース同士を結合して電流切換えを行ってもよい。また、バイポーラトランジスタを用いてもよい。この発明は、トランジスタあるいはダイオードのＯＮ／ＯＦＦに応じて電流切換動作が行われるような切換回路であればよい。
　また、実施例の電流切換回路１１ｇ，１１ｒ，１１ｂは、有機ＥＬパネル１のピクセル回路の外側に設けられているが、ピクセル回路と同様に有機ＥＬパネル内に集積されていてもよい。
　なお、実施例では、ＭＯＳＦＥＴトランジスタを主体として構成しているが、バイポーラトランジスタを主体としても構成してもよいことはもちろんである。また、実施例のＮチャンネル型トランジスタ（あるいはｎｐｎ型）は、Ｐチャンネル型（あるいはｐｎｐ型）トランジスタに、Ｐチャンネル型トランジスタは、Ｎチャンネル（あるいはｎｐｎ型）トランジスタに置き換えることができる。この場合には、電源電圧は負となり、上流に設けたトランジスタは下流に設けることになる。
【図面の簡単な説明】
【００２８】
【図１】図１は、この発明のアクティブマトリックス型の有機ＥＬ表示装置を適用した一実施例のブロック図である。
【図２】図２は、Ｒ・Ｇ・Ｂ電流切換出力回路におけるＲ，Ｇ，Ｂの駆動タイミングの説明図である。
【図３】図３は、Ｒ・Ｇ・Ｂ電流切換出力回路におけるＲ，Ｇ，Ｂの駆動電流値の書込みを水平走査の１ラインに対して２度行う駆動タイミングの説明図図である。
【図４】図４は、図３における駆動タイミングを実施する切換回路の説明図である。
【符号の説明】
【００２９】
　１…有機ＥＬパネル、
　２…データ電極ドライバ、３…Ｒ・Ｇ・Ｂ切換制御回路、
　４，４G1，４R1，４B1…ピクセル回路、
　４ａ…有機ＥＬ素子、４ｂ…インバータ、
　５…コントロール回路、
　６…ロー側走査回路、
　７…ＭＰＵ、９…切換回路、
　１０，１０ａ-1…Ｒ・Ｇ・Ｂ電流駆動回路、
　１１…Ｒ・Ｇ・Ｂ電流切換出力回路、
　１１ｇ，１１ｒ，１１ｂ…電流切換出力回路、
　１２…駆動電流生成回路、
　１２ａ…Ｄ／Ａ変換回路、
　１２ｂ…基準電流発生回路、
　１２ｃ…表示データレジスタ、
　１２ｄ…データ選択回路、
　Ｃ…コンデンサ、
　Ｔr1〜Ｔr7…トランジスタ。
【図１】
2004094232.tif 000003
【図２】
2004094232.tif 000004
【図３】
2004094232.tif 000005
【図４】
2004094232.tif 000006